(57)【特許請求の範囲】
【請求項１】
順方向ＣＤＭＡチャンネルからのＲＦ信号を復調するアナログ基底帯域部（ＡＢＢ）と、
該ＡＢＢから受信されたＰＩＣＨ信号の呼出指示子（ＰＩ）が、ＷＣＤＭＡ端末が属するグループに該当するか否かをチェックし、該ＡＢＢから受信されたＰＩＣＨ信号のＰＩが、該ＷＣＤＭＡ端末が属するグループに該当する場合、第１インタラプト信号を出力するＰＩＣＨ比較器と、
該ＰＩＣＨ比較器から出力された該第１インタラプト信号を受信したことに応答して、ＳＣＣＰＣＨ信号を解析することにより、該ＷＣＤＭＡ端末が呼び出されるか否かを決定し、該ＷＣＤＭＡ端末が呼び出されると決定された場合、第２インタラプト信号を出力するＳＣＣＰＣＨ比較器と、
該第２インタラプト信号を受信したことに応答して、該ＳＣＣＰＣＨから呼出メッセージを獲得するデジタル基底帯域部（ＤＢＢ）と、を包含して構成されたことを特徴とするＷＣＤＭＡ端末のページング処理装置。
【請求項２】
前記ＰＩＣＨ比較器は、
前記ＤＢＢにより設定された基準ＰＩを格納する基準ＰＩレジスターと、
電源が供給されると、前記受信されたＰＩＣＨ信号のＰＩを検出するＰＩＣＨレジスターと、
該ＰＩＣＨレジスターの値と該基準ＰＩレジスターの値とが互いに一致すると、前記第１インタラプト信号を出力する第１アンドゲートと、を包含して構成されることを特徴とする請求項１記載のＷＣＤＭＡ端末のページング処理装置。
【請求項３】
前記ＳＣＣＰＣＨ比較器は、
前記ＤＢＢにより設定された基準媒体接近制御（ＭＡＣ）ヘッダーを格納する基準ＭＡＣヘッダーレジスターと、
前記第１インタラプト信号によって、前記ＳＣＣＰＣＨ信号のＭＡＣヘッダーを検出するＳＣＣＰＣＨレジスターと、
該ＳＣＣＰＣＨレジスターの値と前記基準ＭＡＣヘッダーレジスターの値とが互いに一致すると、前記第２インタラプト信号を前記ＤＢＢに出力する第２アンドゲートと、を包含して構成されることを特徴とする請求項１記載のＷＣＤＭＡ端末のページング処理装置。
【請求項４】
不連続受信サイクルによって呼出の有無をチェックする呼出検出部と、
該呼出検出部の制御によって駆動され、呼出処理を遂行するＤＢＢと、を包含し、
該呼出検出部は、
該不連続受信サイクルによって、アナログ基底帯域部（ＡＢＢ）から受信されたＰＩＣＨ信号の呼出指示子（ＰＩ）を検出し、該検出されたＰＩと設定されたＰＩＣとを比較することにより、該検出されたＰＩと該設定されたＰＩＣとが互いに一致するか否かを決定し、該検出されたＰＩが該設定されたＰＩＣに一致すると決定された場合、インタラプト信号を出力するＰＩＣＨ比較器と、
該インタラプト信号を受信したことに応答して、所定時間後にＳＣＣＰＣＨ信号のＭＡＣヘッダーを検出し、該検出されたＭＡＣヘッダーと設定されたＭＡＣヘッダーとを比較することにより、該検出されたＭＡＣヘッダーが該設定されたＭＡＣヘッダーに一致するか否かを決定し、該検出されたＭＡＣヘッダーが該設定されたＭＡＣヘッダーに一致すると決定された場合、該ＤＢＢを駆動させるＳＣＣＰＣＨ比較器と、を包含して構成されることを特徴とするＷＣＤＭＡ端末のページング処理装置。
【請求項５】
前記設定されたＰＩ及び前記設定されたＭＡＣヘッダーは、前記ＤＢＢにより予め設定されることを特徴とする請求項４記載のＷＣＤＭＡ端末のページング処理装置。
【請求項６】
受信されたＰＩＣＨ信号の呼出指示子（ＰＩ）が、ＷＣＤＭＡ端末が属するグループに一致するか否かをチェックする過程と、
該受信されたＰＩＣＨ信号のＰＩが、該ＷＣＤＭＡ端末が属するグループに一致する場合、ＳＣＣＰＣＨ信号を分析し、該ＷＣＤＭＡ端末が呼び出されたか否かを順次チェックし、該ＷＣＤＭＡ端末が呼び出された場合、インタラプト信号を出力する過程と、
を含むことを特徴とするＷＣＤＭＡ端末のページング処理方法。
【請求項７】
前記受信されたＰＩＣＨ信号が、前記ＷＣＤＭＡ端末が属するグループに一致しない場合、前記ＳＣＣＰＣＨ信号は、分析されないことを特徴とする請求項６記載のＷＣＤＭＡ端末のページング処理方法。
【請求項８】
前記ＳＣＣＰＣＨ信号を分析し、前記ＷＣＤＭＡ端末が呼び出されたか否かを順次チェックし、該ＷＣＤＭＡ端末が呼び出された場合、インタラプト信号を出力する過程は、
該ＳＣＣＰＣＨのＭＡＣと基準ＭＡＣヘッダーとを比較することにより、該ＳＣＣＰＣＨのＭＡＣと該基準ＭＡＣヘッダーとが互いに一致するか否かを決定する過程と、
該比較の結果に基づいて、該ＷＣＤＭＡ端末が呼び出されたか否かを決定する過程と、
を含むことを特徴とする請求項６記載のＷＣＤＭＡ端末のページング処理方法。
【請求項９】
前記基準ＭＡＣヘッダーは、前記ＷＣＤＭＡ端末を示す値であることを特徴とする請求項８記載のＷＣＤＭＡ端末のページング処理方法。
【請求項１０】
前記インタラプト信号は、デジタル基底帯域部（ＤＢＢ）を駆動するためのものであり、前記ＳＣＣＰＣＨ信号のＭＡＣが前記基準ＭＡＣヘッダーに一致する場合、該デジタル基底帯域部（ＤＢＢ）に供給されることを特徴とする請求項９記載のＷＣＤＭＡ端末のページング処理方法。
【請求項１１】
不連続受信サイクルによってＰＩＣＨ信号を受信する過程と、
該ＰＩＣＨ信号の呼出指示子（ＰＩ）を検出する過程と、
該ＰＩＣＨ信号のＰＩと設定されたＰＩとを比較することにより、該ＰＩＣＨ信号のＰＩが該設定されたＰＩに一致するか否かを決定する過程と、
該ＰＩＣＨのＰＩが該設定されたＰＩに一致すると決定された場合、第１インタラプト信号を出力する過程と、
該第１インタラプト信号に応答して、ＳＣＣＰＣＨ信号のＰＣＨからＭＡＣヘッダーを検出する過程と、
該検出されたＭＡＣヘッダーと設定されたＭＡＣヘッダーとを比較することにより、該検出されたＭＡＣヘッダーが該設定されたＭＡＣヘッダーに一致するか否かを決定する過程と、
該検出されたＭＡＣヘッダーが該設定されたＭＡＣヘッダーに一致すると決定された場合、第２インタラプト信号を出力する過程と、
該第２インタラプト信号を受信したことに応答して、デジタル基底帯域部（ＤＢＢ）が該ＰＩＣＨ信号と該ＳＣＣＰＣＨ信号とを分析し、該ＳＣＣＰＣＨ信号から呼出メッセージを獲得する過程と、を順次行うことを特徴とするＷＣＤＭＡ端末のページング処理方法。
【請求項１２】
前記設定されたＰＩ及び前記ＭＡＣヘッダーは、前記ＤＢＢにより予め設定されることを特徴とする請求項１１記載のＷＣＤＭＡ端末のページング処理方法。
【請求項１３】
前記ＰＩＣＨ信号のＰＩが前記設定されたＰＩに一致しないと、前記ＳＣＣＰＣＨ信号のＰＣＨからＭＡＣヘッダーが検出されないことを特徴とする請求項１１記載のＷＣＤＭＡ端末のページング処理方法。
【請求項１４】
前記ＭＡＣヘッダーが検出されないと、前記ＤＢＢは、前記ＰＩＣＨ信号と前記ＳＣＣＰＣＨ信号とを分析しない、または、該ＳＣＣＰＣＨ信号から前記呼出メッセージを獲得しないことを特徴とする請求項１３記載のＷＣＤＭＡ端末のページング処理方法。
【請求項１５】
前記検出されたＭＡＣヘッダーが前記設定されたＭＡＣヘッダーに一致しないと、前記ＤＢＢは、前記ＰＩＣＨ信号と前記ＳＣＣＰＣＨ信号とを分析しない、または、該ＳＣＣＰＣＨ信号から前記呼出メッセージを獲得しないことを特徴とする請求項１１記載のＷＣＤＭＡ端末のページング処理方法。
【発明の詳細な説明】
【０００１】
【発明の属する技術分野】
本発明は、広帯域コード分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ；ＷＣＤＭＡ）端末システムに係るもので、詳しくは、ＷＣＤＭＡ端末のページング処理装置及びその方法に関するものである。
【０００２】
【従来の技術】
ＷＣＤＭＡ移動通信システムにおいて、基地局（Ｂａｓｅ  Ｓｔａｔｉｏｎ）は、ＷＣＤＭＡ端末にシステムに対する情報を提供するか、又はＷＣＤＭＡ端末に呼が来たことを知らせるために呼出指示チャンネル（Ｐａｇｉｎｇ  Ｉｎｄｉｃａｔｏｒ  ＣＨａｎｎｅｌ；ＰＩＣＨ）を使用する。
【０００３】
又、前記ＰＩＣＨは、固定速度物理チャンネル（ｆｉｘｅｄ  ｒａｔｅ  ｐｈｙｓｉｃａｌ  ｃｈａｎｎｅｌ）であって、呼出指示子（Ｐａｇｉｎｇ  Ｉｎｄｉｃａｔｏｒ；ＰＩ；一種の受信グループ）が前記ＰＩＣＨを通して基地局から伝送される。前記呼出指示者ＰＩは、一種の受信グループを指定する情報を示す。図３は、一般的なＷＣＤＭＡシステムにおいて使用されるＰＩＣＨ及び２次共通制御物理チャンネル（Ｓｅｃｏｎｄａｒｙ  Ｃｏｍｍｏｎ  Ｃｏｎｔｒｏｌ  Ｐｈｙｓｉｃａｌ  ＣＨａｎｎｅｌ；ＳＣＣＰＣＨ）の構造を見せる。
【０００４】
又、前記ＰＩＣＨは、所定区間の間、毎フレーム毎に反復されて伝送され、この時、１フレームは１０ｍｓである。前記ＰＩＣＨは、恒常、呼出チャンネル（Ｐａｇｉｎｇ  ＣＨａｎｎｅｌ；ＰＣＨ）を包含するＳＣＣＰＣＨと関連されている。ＰＩＣＨフレームとこれと関連したＳＣＣＰＣＨフレーム間には、ＴＰＩＣＨだけの時間差が存在する。即ち、前記ＰＩＣＨでＰＩが設定されると、呼出メッセージを包含する呼出チャンネル（ＰＣＨ）が前記ＳＣＣＰＣＨを通して伝送されるが、前記ＳＣＣＰＣＨは、ＰＩＣＨが伝送された後、ＴＰＩＣＨ時間後に伝送される。ここで、ＴＰＩＣＨ時間は、７６８０  ｃｈｉｐｓを示し、これは、３スロット（２ｍｓ）になる。
【０００５】
従来ＷＣＤＭＡ端末においては、図４に示したように、アンテナを通して受信された高周波（Ｒａｄｉｏ  Ｆｒｅｑｕｅｎｃｙ；ＲＦ）信号を周波数下方変換するＲＦ部１と、該ＲＦ部１から出力された信号を復調してデータフレームを出力するアナログ基底帯域部（ａｎａｌｏｇ  ｂａｓｅ  ｂａｎｄ  ｕｎｉｔ；ＡＢＢ）２と、前記データフレームを復調して呼出与否を確認して呼出メッセージを受信するデジタル基底帯域部（ｄｉｇｉｔａｌ  ｂａｓｅ  ｂａｎｄ  ｕｎｉｔ；ＤＢＢ）３と、を包含して構成される。
【０００６】
以下、このように構成された従来のＷＣＤＭＡ端末のページング処理のための動作に対し、説明する。
【０００７】
ＷＣＤＭＡシステムは、特定ＷＣＤＭＡ端末への呼出がある時、該特定ＷＣＤＭＡ端末に該当するＰＩを呼出を知らせる情報（一種の受信グループを指定する情報）に設定した後、前記ＰＩを包含したＰＩＣＨを所定区間の間、毎フレーム毎に反復して送信する。
【０００８】
次いで、ＷＣＤＭＡ端末は、呼出チャンネル（ＰＣＨ）を復調する周期である不連続受信（Ｄｉｓｃｏｎｔｉｎｕｏｕｓ  Ｒｅｃｅｉｖｅｄ；ＤＸＲ）サイクルによって動作し、ＰＩＣＨを解析する。
【０００９】
即ち、図３の準備期間ｄＲＦの間、ＷＣＤＭＡ端末のＲＦ部１及びＡＢＢ２は、ＲＦ信号を復調してデータフレームを出力し、ＤＢＢ３は、ＰＩＣＨのＰＩを分析する。該分析されたＰＩが受信グループに該当する場合、ＤＢＢ３は、所定時間以後（ＴＰＩＣＨ時間以後）再びＳＣＣＰＣＨを解析して該ＳＣＣＰＣＨのＰＣＨを分析する。ＤＢＢ３は、分析されたＰＣＨから呼出メッセージ（ｐａｇｅ  ｍｅｓｓａｇｅ）を受信する。
【００１０】
【表１】
0004015545.tif 000002
表１は、従来のＷＣＤＭＡ端末のページング処理動作時にＲＦ部、ＡＢＢ、ＤＢＢに供給される電源を分析するための表である。
【００１１】
上記のように従来ＷＣＤＭＡ端末は、ＰＩＣＨ解析のための準備期間（ｄＲＦ）（ｔ１〜ｔ２）の間ＲＦ部及びＡＢＢを動作させてＰＩＣＨフレームを得て、ＰＩＣＨフレームが得られると、ＤＢＢを動作させて（ｔ２〜ｔ３）の間前記ＰＩＣＨフレームを解析する。又、解析されたＰＩＣＨのＰＩが受信グループに該当する場合、ＷＣＤＭＡ端末のＤＢＢは、所定時間（ＴＰＩＣＨ）経過後１０ｍｓの間ＳＣＣＰＣＨを解析する。
【００１２】
【発明が解決しようとする課題】
然るに、このような従来のＷＣＤＭＡ端末においては、ＤＢＢのソフトウェアを利用して前記ＷＣＤＭＡ端末が呼出されたかをチェックするため、前記ＷＣＤＭＡ端末が呼出されない場合でも、ＤＢＢは毎度不連続受信サイクルによって呼出与否をチェックするために動作しなければならないため、ＤＢＢが処理負荷を大いに有するという不都合な点があった。
【００１３】
又、従来のＷＣＤＭＡ端末においては、ＤＢＢを利用して全てのページング処理を遂行するため、最小１０ｍｓ＋ｄＲＦ（前記ＰＩが受信グループに該当されない場合）から最長２２ｍｓ＋ｄＲＦ期間の間（前記ＰＩが受信グループに該当する場合）ＲＦ部、ＡＢＢ、ＤＢＢ全てに電源を供給しなければならないため、電力消耗が多くなるという不都合な点があった。
【００１４】
本発明は、このような従来の課題に鑑みてなされたもので、特定ＷＣＤＭＡ端末が呼出されたかの与否を確認するためのディバイスをＤＢＢの外部に具現することで、ＤＢＢの処理負荷を低減し得るＷＣＤＭＡ端末のページング処理装置及びその方法を提供することを目的とする。
【００１５】
又、特定ＷＣＤＭＡ端末が呼出与否を判断するための基準ＰＩ及び基準ＰＣＨを予め設定し、基地局から受信されたＰＩＣＨのＰＩが前記基準ＰＩと一致してＳＣＣＰＣＨのＰＣＨが前記基準ＰＣＨと一致する場合、呼出メッセージ受信のための処理を遂行するようにＤＢＢに電源を供給することで、電力消耗を低減し得るＷＣＤＭＡ端末のページング処理装置及びその方法を提供することを目的とする。
【００１６】
【課題を解決するための手段】
このような目的を達成するため、本発明に係るＷＣＤＭＡ端末のページング処理装置においては、順方向ＣＤＭＡチャンネルからＲＦ信号を復調してデータフレームを出力するアナログ基底帯域部ＡＢＢと、前記データフレームを利用して呼出があるかを確認して呼出があると、インタラプトを出力するＰＩＣＨ／ＳＣＣＰＣＨ比較器と、前記インタラプトによって動作して前記データフレームに基づいて呼出メッセージを受信するデジタル基底帯域部ＤＢＢ、を包含して構成されることを特徴とする。
【００１７】
又、本発明に係るＷＣＤＭＡ端末のページング処理装置においては、不連続受信サイクルによって呼出の有無をチェックする呼出検出部と、該呼出検出部の制御によって駆動して呼出処理を遂行するＤＢＢと、を包含して構成されることを特徴とする。
【００１８】
又、本発明に係るＷＣＤＭＡ端末のページング処理方法においては、ＰＩＣＨを解析して呼出があるかをチェックする過程と、呼出があると、ＤＢＢを動作させてＰＩＣＨ及びＳＣＣＰＣＨを分析する過程と、を順次行うことを特徴とする。
【００１９】
又、本発明に係るＷＣＤＭＡ端末のページング処理方法においては、不連続受信サイクルによってＰＩＣＨを受信する過程と、前記ＰＩＣＨのＰＩを検出する過程と、前記ＰＩＣＨのＰＩと設定されたＰＩとを比較する過程と、前記ＰＩＣＨのＰＩと前記設定されたＰＩとが一致すると、インタラプト信号を出力する過程と、該インタラプト信号によって、ＳＣＣＰＣＨのＰＣＨからＭＡＣヘッダーを検出する過程と、該検出されたＭＡＣヘッダーと設定されたＭＡＣヘッダーを比較する過程と、該検出されたＭＡＣヘッダーが前記設定されたＭＡＣヘッダーと一致すると、インタラプト信号を出力する過程と、前記インタラプト信号によってＤＢＢが動作を開始して前記ＰＩＣＨ及びＳＣＣＰＣＨを分析して呼出メッセージを受信する過程と、を順次行うことを特徴とする。
【００２０】
本発明は、順方向ＣＤＭＡチャンネルからＲＦ信号を復調してデータフレームを出力するアナログ基底帯域部ＡＢＢと、前記データフレームを利用して呼出があるかを確認して呼出があると、インタラプトを出力するＰＩＣＨ／ＳＣＣＰＣＨ比較器と、前記インタラプトによって動作して前記データフレームに基づいて呼出メッセージを受信するデジタル基底帯域部ＤＢＢと、を包含して構成されたことを特徴とするＷＣＤＭＡ端末のページング処理装置であり、これにより上記目的が達成される。
【００２１】
本発明の１つの実施形態は、前記ＰＩＣＨ／ＳＣＣＰＣＨ比較器は、前記ＡＢＢから受信されたＰＩＣＨのＰＩが受信グループに該当するかをチェックするためのＰＩＣＨ比較器と、該ＰＩＣＨ比較器から出力されるインタラプト信号によってＳＣＣＰＣＨを解析し、前記ＷＣＤＭＡ端末を呼出する場合であると、前記ＤＢＢにインタラプトを出力するＳＣＣＰＣＨ比較器と、を包含して構成されることを特徴とする請求項１記載のＷＣＤＭＡ端末のページング処理装置。
【００２２】
本発明の１つの実施形態は、前記ＰＩＣＨ比較器は、前記ＤＢＢにより設定された基準ＰＩを格納する基準ＰＩレジスターと、電源が供給されると、前記受信されたＰＩＣＨのＰＩを検出するＰＩＣＨレジスターと、該ＰＩＣＨレジスターの値と前記基準ＰＩレジスターの値とが相互一致すると、インタラプト信号を出力する第１アンドゲートと、を包含して構成されることを特徴とする上記に記載のＷＣＤＭＡ端末のページング処理装置である。
【００２３】
本発明の１つの実施形態は、前記ＳＣＣＰＣＨ比較器は、前記ＤＢＢにより設定された基準媒体接近制御（ＭＡＣ）ヘッダーを格納する基準ＭＡＣヘッダーレジスターと、前記インタラプト信号によって、ＳＣＣＰＣＨのＭＡＣヘッダーを検出するＳＣＣＰＣＨレジスターと、該ＳＣＣＰＣＨレジスターの値と前記基準ＭＡＣヘッダーレジスターの値とが相互一致すると、インタラプト信号を前記ＤＢＢに出力する第２アンドゲートと、を包含して構成されることを特徴とする上記に記載のＷＣＤＭＡ端末のページング処理装置である。
【００２４】
さらに、本発明は、不連続受信サイクルによって呼出の有無をチェックする呼出検出部と、該呼出検出部の制御によって駆動して呼出処理を遂行するＤＢＢと、を包含して構成されたことを特徴とするＷＣＤＭＡ端末のページング処理装置であり、これにより上記目的が達成される。
【００２５】
本発明の１つの実施形態は、前記呼出検出部は、不連続受信サイクルによって、アナログ基底帯域部ＡＢＢからのＰＩＣＨのＰＩを検出し、該検出されたＰＩが設定されたＰＩと一致するかを比較するＰＩＣＨ比較器と、該ＰＩＣＨ比較器からインタラプト信号が出力されると、所定時間後にＳＣＣＰＣＨのＭＡＣヘッダーを検出し、該検出されたＭＡＣヘッダーと設定されたＭＡＣヘッダーが一致するかを比較し、前記二つのＭＡＣヘッダーが相互一致すると、前記ＤＢＢを駆動させるＳＣＣＰＣＨ比較器と、を包含して構成されることを特徴とする上記に記載のＷＣＤＭＡ端末のページング処理装置である。
【００２６】
本発明の１つの実施形態は、前記設定されたＰＩ及び設定されたＭＡＣヘッダーは、前記ＤＢＢにより予め設定されることを特徴とする上記に記載のＷＣＤＭＡ端末のページング処理装置である。
【００２７】
さらに、本発明は、ＰＩＣＨを解析して呼出があるかをチェックする過程と、呼出があると、ＤＢＢを動作させてＰＩＣＨ及びＳＣＣＰＣＨを分析する過程と、を順次行うことを特徴とするＷＣＤＭＡ端末のページング処理方法であり、これにより上記目的が達成される。
【００２８】
本発明の１つの実施形態は、前記呼出がないと、前記ＤＢＢを動作させない過程が追加して包含されることを特徴とする上記に記載のＷＣＤＭＡ端末のページング処理方法である。
【００２９】
本発明の１つの実施形態は、前記呼出があるかをチェックする過程は、受信されたＰＩＣＨのＰＩが基準ＰＩと一致するかを比較する過程と、前記ＰＩＣＨのＰＩが前記基準ＰＩと一致すると、インタラプト信号を生成する過程と、前記ＳＣＣＰＣＨのＭＡＣが基準ＭＡＣヘッダーと一致するかを比較する過程と、前記ＳＣＣＰＣＨのＭＡＣが前記基準ＭＡＣヘッダーと一致すると、インタラプトを前記ＤＢＢに出力する過程と、を順次行うことを特徴とする上記に記載のＷＣＤＭＡ端末のページング処理方法である。
【００３０】
本発明の１つの実施形態は、前記基準ＰＩ及び基準ＭＡＣヘッダーは、前記ＤＢＢにより予め設定されることを特徴とする上記に記載のＷＣＤＭＡ端末のページング処理方法である。
【００３１】
さらに、本発明は、不連続受信サイクルによってＰＩＣＨを受信する過程と、前記ＰＩＣＨのＰＩを検出する過程と、前記ＰＩＣＨのＰＩと設定されたＰＩとを比較する過程と、前記ＰＩＣＨのＰＩと前記設定されたＰＩとが一致すると、インタラプト信号を出力する過程と、前記インタラプト信号によって、ＳＣＣＰＣＨのＰＣＨからＭＡＣヘッダーを検出する過程と、該検出されたＭＡＣヘッダーと設定されたＭＡＣヘッダーとを比較する過程と、該検出されたＭＡＣヘッダーが前記設定されたＭＡＣヘッダーと一致すると、インタラプト信号を出力する過程と、前記インタラプト信号によってＤＢＢが動作を開始して前記ＰＩＣＨ及びＳＣＣＰＣＨを分析して呼出メッセージを受信する過程と、を順次行うことを特徴とするＷＣＤＭＡ端末のページング処理方法であり、これにより上記目的が達成される。
【００３２】
本発明の１つの実施形態は、前記設定されたＰＩ及びＭＡＣヘッダーは、前記ＤＢＢにより予め設定されることを特徴とする上記に記載のＷＣＤＭＡ端末のページング処理方法である。
【００３３】
本発明の１つの実施形態は、前記ＰＩＣＨのＰＩと前記設定されたＰＩとが一致しないと、前記ＳＣＣＰＣＨのＰＣＨからＭＡＣヘッダーを検出しないことを特徴とする上記に記載のＷＣＤＭＡ端末のページング処理方法である。
【００３４】
本発明の１つの実施形態は、前記ＭＡＣヘッダーを検出しないと、前記ＤＢＢを動作させないことを特徴とする上記に記載のＷＣＤＭＡ端末のページング処理方法である。
【００３５】
本発明の１つの実施形態は、前記検出されたＭＡＣヘッダーが前記設定されたＭＡＣヘッダーと一致しないと、前記ＤＢＢを動作させないことを特徴とする上記に記載のＷＣＤＭＡ端末のページング処理方法である。
【００３６】
【発明の実施の形態】
以下、本発明の実施の形態に対し、図面を用いて説明する。
【００３７】
本発明に係るＷＣＤＭＡ端末においては、図１に示したように、ＲＦ部１０と、アナログ基底帯域部（ａｎａｌｏｇ  ｂａｓｅ  ｂａｎｄ  ｕｎｉｔ；ＡＢＢ）２０と、該ＡＢＢ２０から出力されるデータフレームに基づいて呼出があるかを確認して呼出があると、インタラプトを出力するＰＩＣＨ／ＳＣＣＰＣＨ比較器３０と、前記インタラプトによって動作して前記データフレームに基づいて呼出メッセージを受信するデジタル基底帯域部（ｄｉｇｉｔａｌ  ｂａｓｅ  ｂａｎｄ  ｕｎｉｔ；ＤＢＢ）４０と、を包含して構成されている。
【００３８】
又、前記ＰＩＣＨ／ＳＣＣＰＣＨ比較器３０は、図２に示したように、受信されたＰＩＣＨのＰＩが受信グループに該当するかをチェックするためのＰＩＣＨ比較器３４と、該ＰＩＣＨ比較器３４から出力されるインタラプト信号によってＳＣＣＰＣＨのＭＡＣヘッダーを解析し、前記ＷＣＤＭＡ端末を呼出する場合であると、前記ＤＢＢ４０にインタラプトを出力するＳＣＣＰＣＨ比較器３８と、を包含して構成される。
【００３９】
又、前記ＰＩＣＨ比較器３４は、前記ＤＢＢ４０により設定された基準ＰＩを格納する基準ＰＩレジスター３２と、パワーモジュールから電源が供給されると、前記ＡＢＢ２０から出力されたＰＩＣＨフレームのＰＩを検出するＰＩＣＨレジスター３１と、該ＰＩＣＨレジスター３１の値と前記基準ＰＩレジスター３２の値とが相互一致すると、イネーブル信号を出力する第１アンドゲート（ＡＮＤ
ｇａｔｅ）３３と、を包含して構成される。
【００４０】
又、前記ＳＣＣＰＣＨ比較器３８は、前記ＤＢＢ４０により設定された基準媒体接近制御（ｍｅｄｉａ  ａｃｃｅｓｓ  ｃｏｎｔｒｏｌ；ＭＡＣ）ヘッダー（ｈｅａｄｅｒ）を格納する基準ＭＡＣヘッダーレジスター３６と、前記インタラプト信号によって、ＳＣＣＰＣＨのＭＡＣヘッダーを検出するＳＣＣＰＣＨレジスター３５と、該ＳＣＣＰＣＨレジスター３５の値と前記基準ＭＡＣヘッダーレジスター３６の値とが相互一致すると、インタラプト信号を前記ＤＢＢ４０に出力する第２アンドゲート３７と、を包含して構成される。
【００４１】
以下、上記のように構成される本発明に係るページング処理のためのＷＣＤＭＡ端末の動作に対し、説明する。
【００４２】
表２は、ＲＦ部１０、ＡＢＢ２０、ＰＩＣＨ／ＳＣＣＰＣＨ比較器３０及びＤＢＢ４０の動作を時間の経過によって整理した表である。
【００４３】
【表２】
0004015545.tif 000003
ＷＣＤＭＡ端末のＤＢＢ４０は、ＷＣＤＭＡ端末の呼出与否をチェックするための基準ＰＩ及び基準ＭＡＣヘッダーを、夫々基準ＰＩレジスター３２及び基準ＭＡＣヘッダーレジスター３６に予め設定する。この設定は、データフレーム受信する毎に又は不連続受信サイクル毎に毎度行われることでなく、最初に一度のみ行われることがある。
【００４４】
次いで、アンテナからＲＦ信号を受信するために、ＷＣＤＭＡ端末のパワーモジュール（図示されず）は、ＰＩＣＨ解析のための準備期間の間（ｔ１〜ｔ２）、ＲＦ部１０及びＡＢＢ２０に電源を供給して予熱させる。
【００４５】
ＰＩＣＨフレーム期間の間（ｔ２〜ｔ３）、ＷＣＤＭＡ端末は、ＰＩＣＨ／ＳＣＣＰＣＨ比較器３０のＰＩＣＨ比較器３４に電源を供給することで、ＰＩＣＨ比較器３４が動作し、ＡＤＤ２０から出力されるＰＩＣＨのＰＩを分析する。
【００４６】
ＰＩＣＨのＰＩと基準ＰＩとが一致しないと、ＰＩＣＨ比較器３４の第１アンドゲート３３は、インタラプト信号を生成しない。従って、ＳＣＣＰＣＨ比較器３８が動作しなくても済むし、又、ＤＢＢ４０も動作する必要がない。
【００４７】
然し、ＰＩＣＨのＰＩと基準ＰＩとが一致すると、ＰＩＣＨ比較器３４の第１アンドゲート３３は、インタラプト信号をＳＣＣＰＣＨ比較器３８に生成する。
【００４８】
ＴＰＩＣＨ（ｔ３〜ｔ４）以後、前記インタラプト信号によって、ＳＣＣＰＣＨ比較器３８は、動作を開始する。即ち、ＳＣＣＰＣＨ比較器３８は、ＳＣＣＰＣＨのＰＣＨを解析し、ＰＣＨのＭＡＣヘッダーと基準ＭＡＣヘッダーとを比較する。ＳＣＣＰＣＨ比較器３８の第２アンドゲート３７は、ＳＣＣＰＣＨのＭＡＣヘッダーと基準ＭＡＣヘッダーとが一致すると、インタラプト信号をＤＢＢ４０に出力する。
【００４９】
前記インタラプト信号によって、ＤＢＢ４０は、電源が供給されて動作を始める。動作を開始したＤＢＢ４０は、ＡＢＢ３０から出力されるＰＩＣＨのＰＩ及びＳＣＣＰＣＨのＰＣＨを分析して呼出メッセージを受信する。
【００５０】
このように、ＰＩＣＨ比較器３４及びＳＣＣＰＣＨ比較器３８は、ＰＩＣＨ及びＳＣＣＰＣＨに対して段階別に比較作業を実行してもっと精密な電源管理が行われる。
【００５１】
【発明の効果】
以上説明したように、本発明に係るＷＣＤＭＡ端末のページング処理装置及びその方法においては、ＷＣＤＭＡ端末自身の呼出があるかを確認するためのディバイスをＤＢＢの外部に具現することで、不連続受信サイクル毎にＤＢＢが呼出の与否を確認する必要がなく、呼出があると判断される時のみにＤＢＢが呼出処理を遂行するため、ＤＢＢの処理負荷を低減し得るという効果がある。
【００５２】
又、本発明に係るＷＣＤＭＡ端末のページング処理装置及びその方法においては、呼出があると判断される時にＤＢＢに電源を供給して動作させるため、電力消耗を低減し得るという効果がある。
【図面の簡単な説明】
【図１】本発明に係るページング処理のためのＷＣＤＭＡ端末の構成を示した図である。
【図２】ＰＩＣＨ／ＳＣＣＰＣＨ比較器の構成を示した図である。
【図３】ＷＣＤＭＡシステムで使用されるＰＩＣＨ及びＳＣＣＰＣＨの構造を示した図である。
【図４】ページング処理のための従来のＷＣＤＭＡ端末の構成を示した図である。
【符号の説明】
１０  ＲＦ部
２０  アナログ基底帯域部
３０  ＰＩＣＨ／ＳＣＣＨ比較器
４０  デジタル基底帯域部
【図１】
0004015545.tif 000004
【図２】
0004015545.tif 000005
【図３】
0004015545.tif 000006
【図４】
0004015545.tif 000007